(57)【要約】【課題】  マルチスライスＣＴ装置での撮影範囲の指定を容易化して操作性の向上を図る。【解決手段】  複数の検出器列を有するＸ線検出器により撮影を行う場合に、スキャノ像に基づいて撮影位置を指定し、指定された撮影位置に基づいて、１回のスキャンにより撮影される複数の検出器列の一纏りのブロックの範囲をモニタ表示されたスキャノ像上に重ねて表示するよう制御する。これにより、マルチスライスＣＴ装置での撮影範囲の指定を容易化して操作性の向上を図ることができる。【選択図】      図３
2008253805.tif 000002
【特許請求の範囲】
【請求項１】
寝台に載置された被検体に対してＸ線を曝射して、これにより得られたＸ線吸収データを
複数の検出器列を備えるＸ線検出器で取り込むＸ線ＣＴ装置であって、
所定範囲のスキャノ像の撮影を行い、このスキャノ像をモニタ表示するスキャノ像撮影
表示手段と、
前記スキャノ像撮影表示手段によりモニタ表示されたスキャノ像に基づいて、撮影位置
を指定するための撮影位置指定手段と、
前記撮影位置指定手段により指定された撮影位置に基づいて、１回のスキャンにより撮
影される複数の検出器列の一纏りのブロックの範囲を前記モニタ表示されたスキャノ像上
に重ねて表示する制御手段とを有することを特徴とするＸ線ＣＴ装置。
【発明の詳細な説明】
【技術分野】
【０００１】
本発明は、主に複数の検出器列を有するいわゆるマルチスライス用のＸ線検出器を有す
るＸ線ＣＴ装置に関する。
【背景技術】
【０００２】
従来、回転架台に相対向して設けられたＸ線管及び１列の検出器列を有するＸ線検出器
により、寝台に載置された被検体の断層像を撮影するシングルスライス用のＸ線ＣＴ装置
（シングルスライスＣＴ装置）が知られている。このシングルスライスＣＴ装置では、ス
キャン位置の指定は、投光器やスキャノ像を用いて行われるようになっている。
【０００３】
具体的には、例えば内部投光器を用いてスライス位置の位置決めを行う場合、図９（ａ
）に示すように投光器１００のビームとミッドプレーン（スキャン面）とＸ線検出器１０
１のスライス方向の中心とが一致するので、寝台１０２をフリーにして動かし、投光器１
００のビームを撮影したい面に合わせて位置決めを行い撮影（スキャン）を行うようにな
っている。
【０００４】
スキャノ像を用いる場合は、図９（ｂ）に示すように例えばスキャノ像上に撮影開始位
置及び撮影終了位置を２本のラインを用いて示すことで撮影範囲を指定する。これにより
、指定された最初のスライス位置に寝台が移動されスキャンが
開始される。
【発明の開示】
【発明が解決しようとする課題】
【０００５】
しかし、以上の説明は、１列の検出器列のＸ線検出器で撮影を行うシングルスライスＣ
Ｔ装置の場合であったが、複数の検出器列を有するマルチスライスＣＴ装置の場合、投光
器のビーム１本だけでは複数の検出器列を同時に示すことができない問題がある。
【０００６】
また、Ｘ線検出器をミッドプレーンの中心に対して左右対称に配置した場合において、
Ｘ線検出器の検出器列の列数が奇数であればミッドプレーンと、各検出器列の中心に位置
する検出器列の中心（真ん中の検出器列の中心）とが一致するため問題はないのであるが
、Ｘ線検出器の検出器列の列数が偶数である場合は、ミッドプレーンが、Ｘ線検出器の中
心に位置する２つの検出器列の境目に一致するようになるため、投光器のビームの位置を
そのままスキャンすることはできない問題がある（図３（ａ）参照）。また、Ｘ線検出器
をミッドプレーンに対して左右非対称に配置した場合は、配置の仕方により、この問題と
同様の問題を生ずる。
【０００７】
本発明は、上述の課題に鑑みてなされたものであり、マルチスライスＣＴ装置における
撮影範囲の指定を容易化することができるようなＸ線ＣＴ装置の提供を目的とする。
【課題を解決するための手段】
【０００８】
本発明に係るＸ線ＣＴ装置は、複数の検出器列を備えるＸ線検出器を有する、いわゆる
マルチスライス用のＸ線ＣＴ装置に適用される技術的思想であり、上述の課題を解決する
ために、所定範囲のスキャノ像の撮影を行い、このスキャノ像をモニタ表示するスキャノ
像撮影表示手段と、前記スキャノ像撮影表示手段によりモニタ表示されたスキャノ像に基
づいて、撮影位置を指定するための撮影位置指定手段と、前記撮影位置指定手段により指
定された撮影位置に基づいて、１回のスキャンにより撮影される複数の検出器列の一纏り
のブロックの範囲を前記モニタ表示されたスキャノ像上に重ねて表示する制御手段とを有
する撮影位置を指定するための撮影位置指定手段と、前記撮影位置指定手段により指定さ
れた撮影位置が前記Ｘ線検出器の各検出器列の境目に相当する場合に、その撮影位置の画
像がいずれかの検出器列で取り込み可能なように、被検体が載置された寝台を移動制御す
る制御手段とを有する構成となっている。
【発明の効果】
【０００９】
本発明に係るＸ線ＣＴ装置は、撮影範囲の指定を容易化することができ、操作性の向上
を図ることができる。
【発明を実施するための最良の形態】
【００１０】
以下、本発明に係るＸ線ＣＴ装置の好ましい実施の形態について図面を参照しながら詳
細に説明する。本発明に係るＸ線ＣＴ装置は、Ｘ線検出器として寝台の移動方向に沿って
複数の検出器列を有するマルチスライス用のＸ線ＣＴ装置に適用することができる。
【００１１】
この本発明の第１の実施の形態のＸ線ＣＴ装置は、図１に示すように被検体に対してＸ
線を曝射するＸ線管及びこのＸ線管に相対向するように配置されたＸ線検出器を有し、所
定の速度で回転制御される架台１と、被検体が載置される寝台２と、撮影画像を表示する
ためのモニタ装置等が設けられたコンソール３とで構成されている。
【００１２】
Ｘ線検出器としては、例えば１０００チャンネルのＸ線検出素子からなる検出器列が、
架台１の回転軸に沿って（寝台２の移動方向に沿って）４列分設けられたマルチスライス
対応のものが設けられている。各検出器列は、等ピッチで設けられており、ミッドプレー
ンに対して左右対称に設けられている。
【００１３】
架台１には、このＸ線検出器の他、操作者が当該架台１の回転速度等の指示を行うと共
に、寝台２に設けられた寝台制御部７に対して寝台移動方向や寝台移動量等の指示を行う
ための操作パネル４と、操作パネル４により指示された内容に応じて当該架台１を制御す
る架台制御部５と、ミッドプレーンを示すビームを被検体に対して照射する投光器６とを
有している。
【００１４】
次に、このような構成を有する当該第１の実施の形態のＸ線ＣＴ装置の動作説明をする
。図２に、この第１の実施の形態のＸ線ＣＴ装置の操作手順を示すフローチャートを示す
。このフローチャートは、当該Ｘ線ＣＴ装置のメイン電源がオン操作されることによりス
タートとなり、ステップＳ１に進む。
【００１５】
ステップＳ１では、操作者が患者を寝台２に寝かせステップＳ２に進む。ステップＳ２
では、操作者が架台１に設けられている操作パネル４を操作して投光器６を点灯操作して
ステップＳ３に進む。ステップＳ３では、操作者が操作パネル４を操作して寝台２を移動
操作し、投光器６のビームの位置を所望のスライス位置に合わせステップＳ４に進む。寝
台制御部７は、この寝台２の移動操作に応じて寝台２を移動制御する。
【００１６】
次に、操作者は、ステップＳ４において、操作パネル４を操作して投光器６を消灯操作
する。そして、ステップＳ５において、コンソール３を操作してスキャン条件の設定を行
う。
【００１７】
ここで、前述のようにＸ線検出器の各検出器列は、ミッドプレーンに対して左右対称に
設けられている。このため、投光器６を点灯操作することで患者に対して照射されるビー
ムは、図３（ａ）に示すようにＸ線検出器９の第１〜第２の検出器列９ａ〜９ｄのうち、
第２、第３の検出器列９ｂ、９ｃの境目に相当する部位に照射されることとなる。そして
、このままでは、操作者により指定された投光器６のビームの位置をそのままスキャンす
ることはできない。
【００１８】
このため、架台制御部５は、このスキャン条件の設定が行われると、ステップＳ６にお
いて、Ｘ線検出器９の列方向の幅、Ｘ線管の焦点からＸ線検出器９までの距離、及びＸ線
管の焦点から架台１の回転軸までの距離によるシステムジオメトリに基づいて寝台２の移
動量を算出し、寝台２の寝台制御部７を介して寝台２を移動制御する。
【００１９】
具体的には、投光器６で合わせた部位の１スライス分の断層像のスキャンが指定された
場合は、図３（ｂ）に示すように例えば第２の検出器列９ｂの中心とスキャン面とが一致
するように（操作者により指定された部位の断層像が第２の検出器列９ｂにより取り込ま
れるように）寝台２を０．５列分だけ移動制御する。なお、このスキャン面はどの検出器
列に合わせてもよいが、ミッドプレーンに近い方が画質が良く好ましいものとなる。
【００２０】
次に、操作者は、ステップＳ７において、コンソール３を操作してスリット、ビームト
リマ、ウェッジ等のその他のスキャンに必要な設定を行う。この設定により当該Ｘ線ＣＴ
装置側におけるスキャン準備が完了する（ステップＳ８）。
【００２１】
次に、操作者は、ステップＳ９において、コンソール３を操作してスキャンのスタート
キーをオン操作する。これにより、ステップＳ１０でスキャンが開始され当該図２に示す
フローチャートの全ルーチンが終了することとなる。
【００２２】
スキャンが開始されると、架台制御部５は、設定された管電圧、管電流でＸ線を曝射す
ると共に、これによりＸ線検出器９で取り込まれたＸ線吸収データを収集しコンソール３
側に供給するのであるが、このスキャンにより必要とするＸ線像は、図３（ｂ）に示した
例においては、第２の検出器列９ｂを使用して得られるＸ線像のみである。このため、架
台制御部５は、スキャンが開始される前に、前記第２の検出器列９ｂでのみＸ線吸収デー
タが取り込まれるように、第１の検出器列９ａ、第３、第４の検出器列に曝射されるＸ線
をプリコリメータにより遮蔽制御する。これにより、真に必要とする部位の断層像のみ撮
影することができ、患者に対する余計な被曝を低減することができる。
【００２３】
以上の説明から明らかなように、当該第１の実施の形態のＸ線ＣＴ装置は、投光器６で
指定されたスキャン面が複数の検出器列の境目に位置する場合は、いずれかの検出器列の
中心とこのスキャン面とが一致するように、自動的に寝台１を移動制御する。これにより
、操作者は、検出列を考慮することなく、自由に所望のスキャン面を指定することができ
、当該Ｘ線ＣＴ装置の操作性の向上を図ることができる。
【００２４】
次に、本発明の第２の実施の形態のＸ線ＣＴ装置の説明をする。
【００２５】
この第２の実施の形態のＸ線ＣＴ装置は、一つの投光器を用いてスキャノ像を収集する
ことなく複数のスライスの（所望の範囲の）撮影の指定を可能としたものである。
【００２６】
この第２の実施の形態のＸ線ＣＴ装置の構成は、上述の第１の実施の形態のＸ線ＣＴ装
置の構成に加え、操作パネル４に図４に示すような投光器６をオンオフ操作するための投
光器ＯＮ／ＯＦＦキー４ａ、投光器６からのビームにより撮影の開始位置を指定するため
の撮影開始位置セットキー４ｂ、及び投光器６からのビームにより撮影の終了位置を指定
するための撮影終了位置セットキー４ｃが設けられている。
【００２７】
なお、この第２の実施の形態のＸ線ＣＴ装置は、これ以外は、第１の実施の形態のＸ線
ＣＴ装置と同様の構成であるため、以下、重複箇所は、第１の実施の形態のＸ線ＣＴ装置
と同じ名称及び符号を用いて説明を行うこととする。
【００２８】
この第２の実施の形態のＸ線ＣＴ装置は、図５に示す操作手順のフローチャートに従っ
て操作することで動作するようになっている。このフローチャートは、当該Ｘ線ＣＴ装置
のメイン電源をオン操作することにより、スタートとなりステップＳ１１に進む。
【００２９】
ステップＳ１１では、操作者が患者を寝台１に寝かせステップＳ１２に進む。
【００３０】
ステップＳ１２では、操作者が、図４に示す操作パネル４に設けられている投光器ＯＮ／
ＯＦＦキー４ａをオン操作して投光器６を点灯させステップＳ１３に進む。架台制御部５
は、この操作により、投光器６を点灯制御する。これにより、寝台２に載置されている患
者に対して投光器６からのビームが照射されることとなる。
【００３１】
ステップＳ１３では、操作者が、操作パネル４を操作して、患者の撮影範囲の撮影開始
位置に投光器６からのビームが照射されるように寝台２を移動操作する。架台制御部５は
、この操作に応じて寝台制御部７を介して寝台２を移動操作する。これにより、患者の撮
影範囲の撮影開始位置に投光器６からのビームが照射されることとなる。
【００３２】
次に、ステップＳ１４では、操作者が前記撮影範囲の撮影開始位置に投光器６からのビ
ームが照射されたことを確認して図４に示す操作パネル４の撮影開始位置セットキー４ｂ
をオン操作する。架台制御部５は、この撮影開始位置セットキー４ｂがオン操作されたこ
とを検出すると、ステップＳ１５において、このときの寝台２の位置を示す「第１の寝台
位置情報」を記憶する。
【００３３】
次に、ステップＳ１６では、操作者が、操作パネル４を操作して、患者の撮影範囲の撮
影終了位置に投光器６からのビームが照射されるように寝台２を移動操作する。架台制御
部５は、この操作に応じて寝台制御部７を介して寝台２を移動操作する。これにより、患
者の撮影範囲の撮影終了位置に投光器６からのビームが照射されることとなる。
【００３４】
次に、ステップＳ１７では、操作者が前記撮影範囲の撮影終了位置に投光器６からのビ
ームが照射されたことを確認して図４に示す操作パネル４の撮影終了位置セットキー４ｃ
をオン操作する。架台制御部５は、この撮影終了位置セットキー４ｃがオン操作されたこ
とを検出すると、ステップＳ１８において、このときの寝台２の位置を示す「第２の寝台
位置情報」を記憶する。
【００３５】
このようにして、所望の撮影範囲の撮影開始位置及び撮影終了位置を設定すると、操作
者は、ステップＳ１９において前記操作パネル４の投光器ＯＮ／ＯＦＦキー４ａをオフ操
作して投光器６を消灯させステップＳ２０に進む。
【００３６】
ステップＳ２０では、この操作者がコンソール３を操作して、上述のスキャン条件の設
定を行う。
【００３７】
ステップＳ２１では、操作者がその他のスキャン条件の入力を行いスキャンの開始を指
定する。これにより、架台制御部５が、第１、第２の寝台位置情報をコンソール３に伝送
すると共に、この各寝台位置情報に基づいて、前記撮影開始位置から撮影終了位置までの
撮影範囲をスキャンするように寝台制御部２を介して寝台２を移動制御して図５のフロー
チャートに示す全ルーチンを終了する。
【００３８】
ここで、ヘリカルスキャンが可能なＸ線ＣＴ装置の場合は、この撮影に対しては、操作
者により指定された撮影範囲の前後に、架台１の例えば１回転分ずつの撮影範囲を補間処
理等のために追加する必要がある。また、Ｘ線管から曝射されるＸ線の線量や寝台２の移
動速度等が安定してから撮影を開始したい場合には、このための助走範囲が前記撮影範囲
の前段に追加される。以上の説明では、理解を容易とするためにこの各範囲が追加されて
いない状態で説明したのであるが、撮影の際にはこの各範囲が追加された状態で寝台２が
移動制御されるものと理解されたい。
【００３９】
以上の説明から明らかなように、当該第２の実施の実施の形態のＸ線ＣＴ装置は、投光
器６からのビームにより撮影範囲の撮影開始位置及び撮影終了位置を指定することにより
、架台制御部５が、この撮影開始位置及び撮影終了位置の基づいて寝台２を自動的に移動
制御してスキャンを行う。これにより、当該Ｘ線ＣＴ装置の操作性の向上を図ることがで
きる他、上述の第１の実施の形態のＸ線ＣＴ装置と同じ効果を得ることができる。
【００４０】
また、スキャノ像に基づいて撮影範囲の指定を行うようにしてもよいのであるが、この
スキャノ像の撮影にはＸ線を用いる必要があり、多少なりとも患者に対して被曝がある。
この点、投光器６からのビームは、患者に対して全くの無害であるため、患者の被曝量の
低減を図ることができ、当該Ｘ線ＣＴ装置の安全性の向上を図ることができる。
【００４１】
なお、この第２の実施の形態のＸ線ＣＴ装置に係る技術的思想は、マルチスライスＣＴ
装置のみならず、シングルスライスＣＴ装置に適用可能であることは勿論である。
【００４２】
次に、本発明の第３の実施の形態のＸ線ＣＴ装置の説明をする。
【００４３】
この第３の実施の形態のＸ線ＣＴ装置は、スキャノ像上に、１回のスキャンにより撮影
される範囲を一纏まりのブロックとして表示するようにしたものである。
【００４４】
なお、この第３の実施の形態のＸ線ＣＴ装置は、上述の各実施の形態のＸ線ＣＴ装置に対
してこの点のみが異なるため、以下の説明では、この差異にのみ言及し重複説明を省略す
ることとする。
【００４５】
すなわち、この第３の実施の形態のＸ線ＣＴ装置は、上述のように患者の撮影位置が設
定された場合、或いは患者の撮影範囲が設定された場合に、架台制御部５が、図６（ａ）
又は同図（ｂ）に示すようにモニタ表示されているスキャノ像上に、１回のスキャンによ
り撮影される範囲を一纏まりのブロックとして表示する。
【００４６】
図６（ａ）は、スライス位置の中心を線として表示する例を示し、同図（ｂ）は、スラ
イス幅（厚み）を合わせて表示する例を示している。コンソール３は、モニタ表示されて
いるスキャノ像にこの１回の撮影範囲を重ねて表示制御する。
【００４７】
これにより、当該Ｘ線ＣＴ装置のシステムが複数の検出器列を有することを操作者に認
識させることができ、スキャノ像を用いたスキャン計画を立て易くすることができる。
【００４８】
なお、設定されたスキャン条件では、表示に用いられないＸ線像をも撮影することとな
る場合は、架台制御部５が、プリコリメータを開閉制御して、表示に用いられないＸ線像
の撮影を行う検出器列に曝射されるＸ線を遮蔽制御する。これにより、患者の余計な被曝
を低減することができる。
【００４９】
次に、本発明の第４の実施の形態のＸ線ＣＴ装置の説明をする。
【００５０】
ヘリカルスキャンや通常の撮影を行うことで、撮影画像がモニタ表示されるのであるが
、この際、最後尾のスライス画像の次のスライス画像を見たい場合があり、このような場
合は、最後尾のスライス画像に続いて追加スキャンを行う。ヘリカルスキャンの場合は、
前述のように実際に設定された撮影範囲に補間処理等のための撮影範囲を追加して撮影を
行い、その分寝台位置が余分に移動制御されるのであるが、これは、操作者にはわからな
い。
【００５１】
当該第４の実施の形態のＸ線ＣＴ装置は、実際に再構成された最後尾のスライス画像に
連続するスライス画像が得られるように、自動的に寝台２を移動制御して追加スキャンを
行うようにしたものである。
【００５２】
なお、この第４の実施の形態のＸ線ＣＴ装置は、上述の各実施の形態のＸ線ＣＴ装置に
対してこの点のみが異なるため、以下の説明では、この差異にのみ言及し重複説明を省略
することとする。
【００５３】
この第４の実施の形態のＸ線ＣＴ装置は、図７に示すフローチャートに従って動作する
ようになっている。このフローチャートは、ヘリカルスキャンの撮影が終了することでス
タートとなり、ステップＳ３１を介してステップＳ３２に進む。
【００５４】
ステップＳ３２では、ヘリカルスキャン終了後に架台制御部５が、最後尾のスライス画
像（最終断面画像）の寝台位置を検出してステップＳ３３に進む。ステップＳ３３では、
架台制御部５が、コンソール３からのコマンドを検出することで、操作者からの追加スキ
ャンの有無を検出する。そして、追加スキャンの要求がないものと判断した場合には、そ
のまま終了する。また、追加スキャンの要求があったものと判断した場合には、ステップ
Ｓ３４に進む。
【００５５】
ステップＳ３４では、架台制御部５が、最終断面画像を撮影したときと同じスキャン条
件となるように各部を制御してステップＳ３５に進む。ヘリカルスキャンの場合の再構成
画像のスライス厚は、操作者が任意に設定することができるため、架台制御部５は、追加
のコンベンショナルスキャンのスライス厚もこれと同じとなるように設定する。
【００５６】
ステップＳ３５では、架台制御部３５が、この再現した最終断面画像のスキャン条件を
モニタ装置に表示制御すると共に、このスキャン条件で良いか否かを操作者に問う、確認
メッセージをモニタ装置に表示制御してステップＳ３６に進む。操作者は、このモニタ表
示される確認メッセージを見て、コンソール３を操作して了解の有無の入力を行うのであ
るが、ステップＳ３６では、コンソール３が、この了解の有無を検出し、了解が得られた
場合はステップＳ３７にすすみ、了解が得られなかった場合はステップＳ４０に進む。
【００５７】
ステップＳ４０では、操作者が追加スキャンによる撮影画像のスキャン条件を変更した
い場合に、所望のスキャン条件のマニュアル入力を行いステップＳ３５に戻る。このスキ
ャン条件のマニュアル入力があった場合、コンソール３は、前記ステップＳ３５において
、このマニュアル入力されたスキャン条件と共に、確認メッセージをモニタ装置に表示制
御する。この動作は、ステップＳ３６において、操作者による了解が得られるまで繰り返
し行われる。
【００５８】
次に、ステップＳ３７では、架台制御部５が、第１の実施の形態で説明したように、寝
台位置とスライス厚に基づいて、追加スキャンに用いる検出器列の中心とスライス面との
中心が一致するように寝台２を移動制御してステップＳ３８に進む。ステップＳ３８では
、操作者が、その他のスキャン条件の設定を行うことによりステップＳ３９において追加
スキャンの準備が完了して当該図７のフローチャートに示す全ルーチンを終了する。そし
て、この後、追加スキャンが実行されることとなる。
【００５９】
これにより、前回のスキャンにより撮影された最終断面画像に連続して追加スキャンを
行うことができる。
【００６０】
次に、本発明の第５の実施の形態のＸ線ＣＴ装置の説明をする。
【００６１】
この第５の実施の形態のＸ線ＣＴ装置は、各検出器列がそれぞれ異なるピッチを有する
Ｘ線検出器９により撮影を行い、隣接する所望の検出器列で得られた各データを束ねるこ
とで、所望の厚さのスライス画像を得られるようにしたものである。
【００６２】
なお、この第５の実施の形態のＸ線ＣＴ装置は、上述の各実施の形態のＸ線ＣＴ装置に
対してこの点のみが異なるため、以下の説明では、この差異にのみ言及し重複説明を省略
することとする。
【００６３】
この第５の実施の形態のＸ線ＣＴ装置は、Ｘ線検出器として、図８に示すようにそれぞ
れ異なるピッチの第１〜第１０の検出器列９ａ〜９ｊを有するＸ線検出器９を有している
。第１、第２の検出器列９ａ、９ｂは、薄いスライス厚用の検出器列であり、それぞれ同
じスライス厚となっている。第３、第４の検出器列９ｃ、９ｄは、第１、第２の検出器列
９ａ、９ｂよりも多少厚めのスライス厚用の検出器列であり、それぞれ同じスライス厚と
なっている。第５、第６の検出器列９ｅ、９ｆは、中程度の厚さのスライス厚用の検出器
列であり、それぞれ同じスライス厚となっている。第７、第８の検出器列９ｇ、９ｈは、
第５、第６の検出器列９ｅ、９ｆよりも多少厚めのスライス厚用の検出器列であり、それ
ぞれ同じスライス厚となっている。第９、第１０の検出器列９ｉ、９ｊは、厚みの厚いス
ライス厚用の検出器列であり、それぞれ同じスライス厚となっている。
【００６４】
すなわち、このＸ線検出器９は、中心から両外側（両回転軸方向）にかけて徐々にスラ
イス厚が広がるようになっている。
【００６５】
このようなＸ線検出器を有する第５の実施の形態のＸ線ＣＴ装置は、操作者により撮影
位置及びスライス厚が指定されると、架台制御部５が、所定の検出器列で得られたデータ
を束ねる（例えば２つの画像同士を接続して１枚の画像を形成する意）ことにより、指定
されたスライス厚のＸ線像を形成してモニタ表示する。
【００６６】
具体的には、操作者により指定されたスライス厚が、図８に斜線で示す薄いスライス厚
用の第１、第２の検出器列９ａ、９ｂで得られたＸ線像を接続することで得られる場合、
架台制御部５は、幅の広い検出器列にスキャン面を合わせるのではなく、寝台２を移動す
ることなくミッドプレーンはそのままの状態で、前記第１、第２の検出器列９ａ、９ｂで
得られた各データを接続して１枚の指定されたスライス厚のＸ線像を形成し、これをモニ
タ表示する。
【００６７】
また、操作者により指定されたスライス厚が、第１〜第４の検出器列９ａ〜９ｄで得ら
れたデータを束ねることで得られる場合、架台制御部５は、寝台２を移動することなくミ
ッドプレーンはそのままの状態で、前記第１〜第４の検出器列９ａ〜９ｄで得られた各デ
ータを束ねて１枚の指定されたスライス厚のＸ線像を形成し、これをモニタ表示する。
【００６８】
さらに、操作者により指定されたスライス厚が、第７、第９の検出器列９ｇ、９ｉで得
られたＸ線像を束ねることで得られる場合、架台制御部５は、該第７、第９の検出器列９
ｇ、９ｉの各幅（回転軸方向の長さ）を加算し、この加算結果の中間に相当する位置と、
操作者により指定された撮影位置とが一致するように寝台２を移動制御して撮影を行い、
各検出器列９ｇ、９ｉから得られた各データを束ねて１枚の指定されたスライス厚のＸ線
像を形成し、これをモニタ表示する。
【００６９】
すなわち、当該第５の実施の形態のＸ線ＣＴ装置は、操作者により指定されたスライス
厚のＸ線像を、隣接する異なるピッチの検出器列のＸ線像を接続することで得て表示する
ようになっている。
【００７０】
これにより、変則的なピッチの検出器列からなるＸ線検出器を有するＸ線ＣＴ装置にお
いても、操作者は、撮影範囲と検出器列との相対的な関係を意識することなく自由に撮影
範囲の指定を行うことができ、当該Ｘ線ＣＴ装置の操作性の向上を図ることができる。
【００７１】
なお、架台制御部５は、指定されたスライス厚のＸ線像の形成に寄与しない検出器列に
は、Ｘ線が曝射されないようにプリコリメータを開閉制御して遮蔽制御する。これにより
、患者に対する余計な被曝を低減することができ、当該Ｘ線ＣＴ装置の安全性の向上を図
ることができる。
【００７２】
最後に、上述の各実施の形態のＸ線ＣＴ装置の説明は本発明のほんの一例である。この
ため、本発明は、この各実施の形態に限定されることはなく、本発明に係る技術的思想を
逸脱しない範囲であれば、設計等に応じて種々の変更が可能であることは勿論である。
【図面の簡単な説明】
【００７３】
【図１】本発明の第１の実施の形態のＸ線ＣＴ装置のブロック図である。
【図２】前記第１の実施の形態のＸ線ＣＴ装置の操作手順を説明するためのフローチャートである。
【図３】前記第１の実施の形態のＸ線ＣＴ装置において、寝台を移動制御して操作者により指定された撮影位置と、マルチスライス用の所定の検出器列の中心とを一致させる動作を説明するための図である。
【図４】本発明の第２の実施の形態のＸ線ＣＴ装置の操作パネルに設けられている各キーを示す図である。
【図５】前記第２の実施の形態のＸ線ＣＴ装置の動作を説明するためのフローチャートである。
【図６】本発明の第３の実施の形態のＸ線ＣＴ装置によりスキャノ像と共に表示制御される各検出器列の撮影範囲のブロックを示す図である。
【図７】本発明の第４の実施の形態のＸ線ＣＴ装置の動作を説明するためのフローチャートである。
【図８】本発明の第５の実施の形態のＸ線ＣＴ装置に設けられている変則ピッチの検出器列を有するＸ線検出器を示す図である。
【図９】シングルスライスＣＴ装置において、投光器のビームを用いて行う撮影範囲の指定の仕方を説明するための図である。
【符号の説明】
【００７４】
１…架台、２…寝台、３…コンソール、４…操作パネル、５…架台制御部
６…投光器、７…寝台移動制御部、９…マルチスライス用のＸ線検出器
【図１】
2008253805.tif 000003
【図２】
2008253805.tif 000004
【図３】
2008253805.tif 000005
【図４】
2008253805.tif 000006
【図５】
2008253805.tif 000007
【図６】
2008253805.tif 000008
【図７】
2008253805.tif 000009
【図８】
2008253805.tif 000010
【図９】
2008253805.tif 000011